(57)【要約】【課題】締め付け難いカップ部を有する衣類を提供すること。【解決手段】カップ部を有する衣類１００であって、右カップ部２１０及び左カップ部２２０と、長さが調節可能な肩紐部材５００とを含み、右カップ部２１０は、周縁部の少なくとも一部に右紐部材４１０を通すことができる右紐通し部２１２を含み、左カップ部２２０は、周縁部の少なくとも一部に左紐部材４２０を通すことができる左紐通し部２２２を含み、右紐部材４１０と左紐部材４２０とは、右カップ部２１０と左カップ部２２０との間で調節して接続することができ、右紐部材４１０及び左紐部材４２０が肩紐部材５００と接続されるカップ部を有する衣類１００を提供する。【選択図】図１
2018127760.tif 000002
【特許請求の範囲】
【請求項１】
カップ部を有する衣類であって、
右カップ部及び左カップ部と、長さが調節可能な肩紐部材とを含み、
前記右カップ部は、周縁部の少なくとも一部に右紐部材を通すことができる右紐通し部を含み、
前記左カップ部は、周縁部の少なくとも一部に左紐部材を通すことができる左紐通し部を含み、
前記右紐部材と前記左紐部材とは、前記右カップ部と前記左カップ部との間で調節して接続することができ、
前記右紐部材及び前記左紐部材が前記肩紐部材と接続されるカップ部を有する衣類。
【請求項２】
前記右紐部材と前記左紐部材とは、前記右カップ部と前記左カップ部との間で接続することにより、前記右カップ部と前記左カップ部の左右の位置を調節すると共に、前記右カップ部及び前記左カップ部の周縁部を着用者に密着させ、
前記右紐部材及び前記左紐部材が前記肩紐部材と接続されることにより、前記右カップ部と前記左カップ部の上下の位置を調節すると共に、前記右カップ部及び前記左カップ部の周縁部を着用者に密着させる請求項１記載のカップ部を有する衣類。
【請求項３】
前記肩紐部材は、右肩紐部材と左肩紐部材とを含み、
前記右紐通し部は、外側に設けられる第１右紐通し部と、内側に設けられる第２右紐通し部と、を含み、
前記左紐通し部は、外側に設けられる第１左紐通し部と、内側に設けられる第２左紐通し部と、を含み、
前記第１右紐通し部と前記第２右紐通し部との間から露出する右紐部材と、前記右肩紐部材とが接続され、
前記第１左紐通し部と前記第２左紐通し部との間から露出する左紐部材と、前記左肩紐部材とが接続される請求項１又は２記載のカップ部を有する衣類。
【請求項４】
前記第１右紐通し部と前記第２右紐通し部との間から露出する右紐部材と、前記右肩紐部材とが接続され、
前記第１左紐通し部と前記第２左紐通し部との間から露出する左紐部材と、前記左肩紐部材とが接続されることにより、
前記右紐部材及び前記左紐部材が上方に引っ張られ、前記右カップ部及び前記左カップ部の周縁部を着用者に密着させる請求項３記載のカップ部を有する衣類。
【請求項５】
前記右紐部材が前記第１右紐通し部と前記第２右紐通し部とに通され、前記第１右紐通し部と前記第２右紐通し部との間から露出する右紐部材と、前記右カップ部との間にできる空間に前記右肩紐部材が通され、
前記左紐部材が前記第１左紐通し部と前記第２左紐通し部とに通され、前記第１左紐通し部と前記第２左紐通し部との間から露出する左紐部材と、前記左カップ部との間にできる空間に前記左肩紐部材が通される請求項３又は４記載のカップ部を有する衣類。
【発明の詳細な説明】
【技術分野】
【０００１】
本発明は、主に女性が着用するブラジャー等のカップ部を有する衣類に関する。
【背景技術】
【０００２】
カップ部を有する衣類、例えば、ブラジャーでは、バストを造形するための方法として、パッドを用いてバストを押し出す方法、カップ脇側の当て布とボーンによって脇側のバストを寄せる方法、平面的なカップでバストを前から押さえつけることによってバスト上部にボリュームを出す方法が提案されている。
【０００３】
特許文献１では、ボリュームアップを目的として、ブラジャーに装着するパッドで、ボリュームアップ機能を果たす柔軟性と弾発性を有する素材で構成された厚肉部を備え、脇寄り部分から中間部分を経て前中心寄り部分にかけて下縁が滑らかな凸型に湾曲し、中間部分の上縁が凹型に括れ、中間部分の幅が脇寄り部分と前中心寄り部分のいずれの幅よりも狭くされていることを特徴とするものが開示されている。
【０００４】
特許文献２では、当て布とボーンとの作用によりカップ自体に双方の乳房を中央へ寄せる機能を付与することを目的とするブラジャーとして、カップ部の各裏面外側部にそれぞれ当て布を添わせ、その当て布を各カップ部の下縁を上縁とに縫合すると共に、各当て布の内側辺にカップサイドボーンを一体化させるブラジャーが開示されている。
【先行技術文献】
【特許文献】
【０００５】
【特許文献１】特開２００３−１７１８１０号公報
【特許文献２】特開平９−１８８９０２号公報
【発明の概要】
【発明が解決しようとする課題】
【０００６】
しかしながら、従来のパッドや、カップ脇側の当て布とボーンによる場合、造形力はあるものの着用者が圧迫感を受けるという問題があった。
【０００７】
特に、パッドによる場合は、カップにパッドが入っていることによって感じる圧迫感が強かった。
【０００８】
また、パッドがバストの重みに負け、着用時にブラジャー等がパッドの厚みの分だけ本来のバストの付き位置より下に付いてしまうことがある。
【０００９】
それを防止し、パッドを十分にバストにフィットさせて造形効果を持たせるために、アンダーバスト部分（バック部）を強い力で締め付けると、さらに圧迫感が増すという問題もあった。
【００１０】
一方、平面的なカップを用いる場合は、着用感は楽であるものの、バストのシルエットが平面的になる等、造形力が十分でないという問題があった。
【００１１】
また、セミオーダーで着用者の体形に合ったブラジャーを作った場合であっても、硬いところに押し込んで胸部分を補正するというところは同じであり、着用者は、ブラジャーの着け心地が悪い（苦しい）という問題があった。
【００１２】
本発明の目的は、締め付け難いカップ部を有する衣類を提供することである。
【００１３】
本発明の他の目的は、軽くて着け心地の良いカップ部を有する衣類を提供することである。
【課題を解決するための手段】
【００１４】
本発明の第１の局面に係るカップ部を有する衣類は、カップ部を有する衣類であって、
右カップ部及び左カップ部と、長さが調節可能な肩紐部材とを含み、
前記右カップ部は、周縁部の少なくとも一部に右紐部材を通すことができる右紐通し部を含み、
前記左カップ部は、周縁部の少なくとも一部に左紐部材を通すことができる左紐通し部を含み、
前記右紐部材と前記左紐部材とは、前記右カップ部と前記左カップ部との間で調節して接続することができ、
前記右紐部材及び前記左紐部材が前記肩紐部材と接続されるカップ部を有する衣類である。
【００１５】
右紐部材と左紐部材とが右カップ部と左カップ部との間で接続される位置を調整することにより、右カップ部と左カップ部の左右の位置を調節することができる。
【００１６】
また、カップ部の周縁部の少なくとも一部に通された右紐部材及び左紐部材が接続されることで引っ張られることによって、カップ部の周縁部を着用者の身体に密着させることができる。これにより着用感が増す。
【００１７】
また、肩紐部材は長さの調節が可能であり、右紐部材及び左紐部材が接続された肩紐部材によって引っ張られるため、肩紐部材の長さの調節によって、カップ部の上下の位置を調節することができる。
【００１８】
また、カップ部の周縁部の少なくとも一部に通された右紐部材及び左紐部材が肩紐部材により上方向に引っ張られることによって、カップ部の周縁部を着用者の身体に密着させることができる。これにより着用感が増す。
【００１９】
この場合、カップ部を有する衣類は着用者の身体を締め付け難く、また、軽くて着け心地が良い。
【００２０】
なお、「衣類」はブラジャー等の下着だけでなく、キャミソールや水着も含む概念である。
【００２１】
本発明の第２の局面に係るカップ部を有する衣類は、第１の局面に係るカップ部を有する衣類であって、前記右紐部材と前記左紐部材とは、前記右カップ部と前記左カップ部との間で接続することにより、前記右カップ部と前記左カップ部の左右の位置を調節すると共に、前記右カップ部及び前記左カップ部の周縁部を着用者に密着させ、
前記右紐部材及び前記左紐部材が前記肩紐部材と接続されることにより、前記右カップ部と前記左カップ部の上下の位置を調節すると共に、前記右カップ部及び前記左カップ部の周縁部を着用者に密着させるカップ部を有する衣類である。
【００２２】
この場合、カップ部を有する衣類は着用者の身体を締め付け難く、また、軽くて着け心地が良い。
【００２３】
本発明の第３の局面に係るカップ部を有する衣類は、第１の局面又は第２の局面に係るカップ部を有する衣類であって、前記肩紐部材は、右肩紐部材と左肩紐部材とを含み、
前記右紐通し部は、外側に設けられる第１右紐通し部と、内側に設けられる第２右紐通し部と、を含み、
前記左紐通し部は、外側に設けられる第１左紐通し部と、内側に設けられる第２左紐通し部と、を含み、
前記第１右紐通し部と前記第２右紐通し部との間から露出する右紐部材と、前記右肩紐部材とが接続され、
前記第１左紐通し部と前記第２左紐通し部との間から露出する左紐部材と、前記左肩紐部材とが接続されるカップ部を有する衣類である。
【００２４】
第１右紐通し部と第２右紐通し部との間から露出する右紐部材と、第１左通し部と第２左通し部との間から露出する左紐部材とが、肩紐部材によって上方向に引っ張られることにより、右紐部材及び左紐部材が引っ張られ、カップ部の周縁部が着用者に密着する。これにより着用感が増す。
【００２５】
なお、「外側」とは着用者を正面から見た場合の腕側を意味し、「内側」とは着用者を正面から見た場合の「外側」の反対側を意味する。
【００２６】
つまり、右カップ部の内側は、左カップ部側寄りの部分であり、左カップ部の内側は、右カップ部側寄りの部分のことである。
【００２７】
本発明の第４の局面に係るカップ部を有する衣類は、第３の局面に係るカップ部を有する衣類であって、前記第１右紐通し部と前記第２右紐通し部との間から露出する右紐部材と、前記右肩紐部材とが接続され、
前記第１左紐通し部と前記第２左紐通し部との間から露出する左紐部材と、前記左肩紐部材とが接続されることにより、
前記右紐部材及び前記左紐部材が上方に引っ張られ、前記右カップ部及び前記左カップ部の周縁部を着用者に密着させるカップ部を有する衣類である。
【００２８】
この場合、カップ部を有する衣類は着用者の身体を締め付け難く、また、軽くて着け心地が良い。
【００２９】
本発明の第５の局面に係るカップ部を有する衣類は、第３の局面又は第４の局面に係るカップ部を有する衣類であって、前記右紐部材が前記第１右紐通し部と前記第２右紐通し部とに通され、前記第１右紐通し部と前記第２右紐通し部との間から露出する右紐部材と、前記右カップ部との間にできる空間に前記右肩紐部材が通され、
前記左紐部材が前記第１左紐通し部と前記第２左紐通し部とに通され、前記第１左紐通し部と前記第２左紐通し部との間から露出する左紐部材と、前記左カップ部との間にできる空間に前記左肩紐部材が通されるカップ部を有する衣類である。
【００３０】
第１右紐通し部と第２右紐通し部との間から露出する右紐部材と、右カップ部との間にできる空間に右肩紐部材が通され、第１左紐通し部と第２左紐通し部との間から露出する左紐部材と、左カップ部との間にできる空間に左肩紐部材が通されるため、紐部材と肩紐部材とを接続するための接続部材がなくてもよい。
【００３１】
接続部材が不要であるため着用者の不快感を軽減させることができる。また、紐部材とカップ部との間にできる空間に肩紐部材が通されているため、着用者の肩に与える負担が軽減される。
【図面の簡単な説明】
【００３２】
【図１】本発明に係る一実施形態におけるブラジャーの正面図。
【図２】同実施形態におけるブラジャーの背面図。
【図３】同実施形態におけるブラジャーの部分拡大図。
【図４】同実施形態におけるブラジャーの部分拡大図。
【発明を実施するための形態】
【００３３】
以下、本発明の一例を、図面を参照しながら説明する。具体的には、本発明に係るカップ部を有する衣類の例であるブラジャー１００について図面を参照しながら説明する。
【００３４】
図１乃至図４に示すように、本実施形態に係るブラジャー１００は、
着用者の乳房部分に配置されるカップ部２００と、
カップ部２００の下方に配置され、着用者の胸郭部分を一周する取付部３００と、
カップ部２００の周囲に配置される紐部材４００と、
紐部材４００に取り付けられ、取付部３００に接続されている肩紐部材５００と、を含む。
【００３５】
カップ部２００は、ｘ軸負方向側に配置される右カップ部２１０と、
右カップ部２１０よりｘ軸正方向側に配置される左カップ部２２０と、を含む。
【００３６】
カップ部２００は、着用者の乳房部分に当てられる部分であり、着用者の乳房部分の少なくとも一部を覆う構成である。
【００３７】
右カップ部２１０は、内側つまりｚ軸負方向側にパッド６００である右パッド６１０を入れることができる右パッド部２１１と、
紐部材４００を通すことができる右紐通し部２１２と、を含む。
【００３８】
右パッド部２１１は、ｘ軸負方向側かつｙ軸負方向側に右パッド挿入部２１１ａを有する。着用者は、右パッド挿入部２１１ａから右パッド６１０を挿入することができる。
【００３９】
右紐通し部２１２は、右カップ部２１０の周縁部に設けられ、
ｘ軸負方向側に配置され右カップ部２１０の外側部に配置される第１右紐通し部２１２ａと、
第１右紐通し部２１２ａよりｘ軸正方向側に配置され、右カップ部２１０の内側部に配置される第２右紐通し部２１２ｂと、を含む。
【００４０】
左カップ部２２０は、右カップ部２１０の構成とｙｚ平面で対称な構成となっている。
【００４１】
具体的には、左カップ部２２０は、内側つまりｚ軸負方向側にパッド６００である左パッド６２０を入れることができる左パッド部２２１と、
紐部材４００を通すことができる左紐通し部２２２と、を含む。
【００４２】
左パッド部２２１は、ｘ軸正方向側かつｙ軸負方向側に左パッド挿入部２２１ａを有する。着用者は、左パッド挿入部２２１ａから左パッド６２０を挿入することができる。
【００４３】
左紐通し部２２２は、左カップ部２２０の周縁部に設けられ、
ｘ軸正方向側に配置され左カップ部２２０の外側部に配置される第１左紐通し部２２２ａと、
第１左紐通し部２２２ａよりｘ軸負方向側に配置され、左カップ部２２０の内側部に配置される第２左紐通し部２２２ｂと、を含む。
【００４４】
なお、本実施形態では、右パッド挿入部２１１ａ及び左パッド挿入部２２１ａの位置は外側部（右パッド挿入部２１１ａがｘ軸負方向側、左パッド挿入部２２１ａがｘ軸正方向側）に配置されているが、内側部に配置されてもよく、どのような位置に設けられていてもよい。
【００４５】
取付部３００は、カップ部２００のｙ軸負方向側に配置され、着用者の胸郭部分を一周し、ブラジャー１００を着用者に取り付ける部分である。
【００４６】
取付部３００は、着用者の胸郭部分を一周する取付部本体３１０と、
先端同士を取り付けるフック部材３２０と、を含む。
【００４７】
本実施形態では、取付部３００のフック部材３２０は、着用者の前方（ｚ軸正方向側）に配置されているが、着用者の背中部分（ｚ軸負方向側）に配置されてもよい。
【００４８】
取付部本体３１０は、右カップ部２１０下方及び左カップ部２２０下方に接続されており、右カップ部２１０下方から左カップ部２２０下方まで着用者の背中側に延伸して接続されている。
【００４９】
本実施形態において、取付部本体３１０は、右カップ部２１０の下方側の先端である第１取付先端部３１１と、
左カップ部２２０の下方側の先端である第２取付先端部３１２と、
着用者の両脇下部分から背中部分に配置される背中側部３１３と、を含む。
【００５０】
第１取付先端部３１１には取付部材であるフック部材３２０が取り付けられている。具体的には、第１取付先端部３１１にはフック部材３２０の引掛け部材３２１が接続されている。
【００５１】
第２取付先端部３１２は、左カップ部２２０の下方から若干ｘ軸負方向側に延びている。
【００５２】
第２取付先端部３１２には、第１取付先端部３１１に接続されている引掛け部材３２１を引っ掛ける貫通孔３２２が複数設けられている。
【００５３】
本実施形態では、背中側部３１３は、ゴム等の弾性部材で構成されており、着用者に密着し易いようになっている。具体的には、取付部本体３１０の背中側部３１３は、ゴム等の弾性部材に布が巻かれた構成となっている。
【００５４】
フック部材３２０は、上述の通り、引掛け部材３２１と、
引掛け部材３２１を引っ掛ける貫通孔３２２と、を含む。
【００５５】
引掛け部材３２１は、鉤状となっており、貫通孔３２２に引っ掛け易い構成となっている。
【００５６】
貫通孔３２２は、着用者の体形に合わせて選択できるように複数設けられている。本実施形態では、貫通孔３２２は４箇所設けられている。なお、貫通孔３２２は１箇所だけであってもよい。
【００５７】
また、本実施形態では取付部材はフック部材３２０であり引掛ける構成であるが、ホックやボタン等の取付部材であってもよい。
【００５８】
紐部材４００は、右カップ部２１０の右紐通し部２１２に通す右紐部材４１０と、
左カップ部２２０の左紐通し部２２２に通す左紐部材４２０と、を含む。
【００５９】
右紐部材４１０は、取付部３００に取り付けられる第１右紐端部４１１と、
右紐通し部２１２に通される右紐部材本体４１２と、
第１右紐端部４１１とは反対側の端部である第２右紐端部４１３と、を含む。
【００６０】
右紐部材４１０は、第１右紐端部４１１が取付部３００に接続され、外側部（ｘ軸負方向側）の第１右紐通し部２１２ａに通され、内側部（ｘ軸正方向側）の第２右紐通し部２１２ｂに通されている。
【００６１】
第２右紐端部４１３は、第２右紐通し部２１２ｂから出ている状態である。また、右紐部材４１０は、第１右紐通し部２１２ａと第２右紐通し部２１２ｂとの間から外部に露出している。
【００６２】
左紐部材４２０は、取付部３００に取り付けられる第１左紐端部４２１と、
左紐通し部２２２に通される左紐部材本体４２２と、
第１左紐端部４２１とは反対側の端部である第２左紐端部４２３と、を含む。
【００６３】
左紐部材４２０は、第１左紐端部４２１が取付部３００に接続され、外側部（ｘ軸正方向側）の第１左紐通し部２２２ａに通され、内側部（ｘ軸負方向側）の第２左紐通し部２２２ｂに通されている。
【００６４】
第２左紐端部４２３は、第２左紐通し部２２２ｂから出ている状態である。また、左紐部材４２０は、第１左紐通し部２２２ａと第２左紐通し部２２２ｂとの間から外部に露出している。
【００６５】
第２右紐端部４１３と第２左紐端部４２３とは、右カップ部２１０と左カップ部２２０との間で結ぶ（接続する）ことができる。
【００６６】
なお、本実施形態では、第２右紐端部４１３と第２左紐端部４２３とを結ぶ構成であるが、接続部材等を用いて接続される構成であってもよい。また、本実施形態では蝶々結びをしているが、結び方はどのような結び方であってもよい。
【００６７】
これにより、着用者は、右カップ部２１０と左カップ部２２０との距離を調節することができる。つまり、右カップ部２１０と左カップ部２２０との左右の位置（ｘ軸方向の位置）を調節することができる。
【００６８】
また、カップ部（右カップ部２１０、左カップ部２２０）の周縁部である紐通し部（右紐通し部２１２、左紐通し部２２２）に紐部材４００が通されていることから、右紐部材４１０と左紐部材４２０とを結ぶことにより、カップ部（右カップ部２１０、左カップ部２２０）の周縁部を着用者に密着させることができる。
【００６９】
つまり、第２右紐端部４１３と第２左紐端部４２３とが結ばれることにより、右カップ部２１０と左カップ部２２０の左右の位置（ｘ軸方向の位置）を調節すると共に、右カップ部２１０及び左カップ部２２０を着用者に密着させることができる。
【００７０】
したがって、着用者は左右の乳房を無理なく寄せることができ、着用者は自分の体形に合わせた位置に右カップ部２１０と左カップ部２２０を配置することができると共に、カップ部の周縁部を身体に密着させることができる。
【００７１】
肩紐部材５００は、右肩紐部材５１０と、右肩紐部材５１０よりｘ軸正方向側に配置される左肩紐部材５２０と、を含む。
【００７２】
右肩紐部材５１０は、取付部本体３１０の背中側部３１３に取り付けられる第１右肩紐部５１１と、
右紐部材本体４１２と右カップ部２１０との間に通される第２右肩紐部５１２と、
第１右肩紐部５１１と第２右肩紐部５１２との間に配置される接続部である第１接続部５１３と、
第２右肩紐部５１２の長さを調節する第１調節部５１４と、を含む。
【００７３】
第１右肩紐部５１１は、取付部本体３１０の背中側部３１３に取り付けられている第１右肩紐端部５１１ａと、
第１接続部５１３に取り付けられている第２右肩紐端部５１１ｂと、を含む。
【００７４】
本実施形態では、第１右肩紐部５１１は、ゴム等の弾性部材で構成されている。これによりブラジャー１００が着用者にフィットし易い構成となっている。
【００７５】
第２右肩紐部５１２には、調節部である第１調節部５１４が取り付けられている。第２右肩紐部５１２は、第１調節部５１４によって長さを調節することができる。
【００７６】
つまり、第１調節部５１４によって第２右肩紐部５１２の長さを調節することにより、右肩紐部材５１０の長さを調節することができる。
【００７７】
具体的には、第２右肩紐部５１２は、第３右肩紐端部５１２ａと第４右肩紐端部５１２ｂとを含む。
【００７８】
第３右肩紐端部５１２ａと第４右肩紐端部５１２ｂは、第１調節部５１４に取り付けられている。
【００７９】
より具体的には、第１調節部５１４に第３右肩紐端部５１２ａが取り付けられた第２右肩紐部５１２は、第１接続部５１３に通され、その後第１調節部５１４に通され、その後右紐部材本体４１２と右カップ部２１０との間に通された後、第１調節部５１４に通され、その後第１接続部５１３に通され、第１調節部５１４に第４右肩紐端部５１２ｂが取り付けられる。
【００８０】
第１接続部５１３は、上述の通り、第１右肩紐部５１１と第２右肩紐部５１２とを接続するものである。本実施形態では数字の８の字状の接続部材を用いている。
【００８１】
第１調節部５１４は、上述の通り、第２右肩紐部５１２の長さを調節するものである。第２右肩紐部５１２の重なり部分が多いほど右肩紐部材５１０の長さは短くなる。
【００８２】
図４に示すように、第３右肩紐端部５１２ａと第４右肩紐端部５１２ｂとは並べられた状態で縫い付けられている。本実施形態では、第３右肩紐端部５１２ａは、第４右肩紐端部５１２ｂより外側（ｘ軸負方向側）に取り付けられている。
【００８３】
そのため、着用者は、第３右肩紐端部５１２ａと第４右肩紐端部５１２ｂとを一緒に動かし易いため、第１調節部５１４での右肩紐部材５１０の長さを容易に調節することができる。
【００８４】
左肩紐部材５２０は、取付部本体３１０の背中側部３１３に取り付けられる第１左肩紐部５２１と、
左紐部材本体４２２と左カップ部２２０との間に通される第２左肩紐部５２２と、
第１左肩紐部５２１と第２左肩紐部５２２との間に配置される接続部である第２接続部５２３と、
第２左肩紐部５２２の長さを調節する第２調節部５２４と、を含む。
【００８５】
第１左肩紐部５２１は、取付部本体３１０の背中側部３１３に取り付けられている第１左肩紐端部５２１ａと、
第２調節部５２３に取り付けられている第２左肩紐端部５２１ｂと、を含む。
【００８６】
本実施形態では、第１左肩紐部５２１は、ゴム等の弾性部材で構成されている。これによりブラジャー１００が着用者にフィットし易い構成となっている。
【００８７】
第２左肩紐部５２２には、調節部である第２調節部５２４が取り付けられている。第２左肩紐部５２２は、第２調節部５２４によって長さを調節することができる。
【００８８】
つまり、第２調節部５２４によって第２左肩紐部５２２の長さを調節することにより、左肩紐部材５２０の長さを調節することができる。
【００８９】
具体的には、第２左肩紐部５２２は、第３左肩紐端部５２２ａと第４左肩紐端部５２２ｂとを含む。
【００９０】
第３左肩紐端部５２２ａと第４左肩紐端部５２２ｂは、第２調節部５２４に取り付けられている。本実施形態では、第３左肩紐端部５２２ａは、第４左肩紐端部５２２ｂより外側（ｘ軸正方向側）に取り付けられている。
【００９１】
より具体的には、第２調節部５２４に第３左肩紐端部５２２ａが取り付けられた第２左肩紐部５２２は、第２接続部５２３に通され、その後第２調節部５２４に通され、その後左紐部材本体４２２と左カップ部２２０との間に通された後、第２調節部５２４に通され、その後第２接続部５２３に通され、第２調節部５２４に第４左肩紐端部５２２ｂが取り付けられる。
【００９２】
第２接続部５２３は、上述の通り、第１左肩紐部５２１と第２右左肩紐部５２２とを接続するものである。本実施形態では数字の８の字状の接続部材を用いている。
【００９３】
第２調節部５２４は、上述の通り、第２左肩紐部５２２の長さを調節するものである。第２左肩紐部５２２の重なり部分が多いほど左肩紐部材５２０の長さは短くなる。
【００９４】
第３右肩紐端部５１２ａと第４右肩紐端部５１２ｂとが並べられた状態で縫い付けられているのと同様に、第３左肩紐端部５２２ａと第４左肩紐端部５２２ｂとは、並べられた状態で縫い付けられている。
【００９５】
そのため、着用者は、第３左肩紐端部５２２ａと第４左肩紐端部５２２ｂとを一緒に動かし易いため、第２調節部５２４での左肩紐部材５２０の長さを容易に調節することができる。
【００９６】
このような構造から、肩紐部材５００である右肩紐部材５１０及び左肩紐部材５２０により、紐部材４００である右紐部材４１０及び左紐部材４２０が引っ張られる。
【００９７】
つまり、第１右紐通し部２１２ａと第２右紐通し部２１２ｂとの間から露出している右紐部材本体４１２と、右カップ部２１０との間に通された右肩紐部材５１０が上方（ｙ軸正方向側）に引っ張られることにより、第１右紐通し部２１２ａ及び第２右紐通し部２１２ｂに通されている右紐部材４１０が上方（ｙ軸正方向側）に引っ張られる。
【００９８】
これにより、右カップ部２１０の上下方向（ｙ軸方向）の位置が調節されると共に、右カップ部２１０の第１右紐通し部２１２ａと第２右紐通し部２１２ｂとが、着用者の身体に密着する。
【００９９】
同様に、第１左紐通し部２２２ａと第２左紐通し部２２２ｂとの間から露出している左紐部材本体４２２と、左カップ部２２０との間に通された左肩紐部材５２０が上方（ｙ軸正方向側）に引っ張られることにより、第１左紐通し部２２２ａ及び第２左紐通し部２２２ｂに通されている左紐部材４２０が上方（ｙ軸正方向側）に引っ張られる。
【０１００】
これにより、左カップ部２２０の上下方向（ｙ軸方向）の位置が調節されると共に、左カップ部２２０の第１左紐通し部２２２ａと第２左紐通し部２２２ｂとが、着用者の身体に密着する。
【０１０１】
パッド６００は、右パッド６１０と左パッド６２０とがある。右パッド６１０は、右カップ部２１０の右パッド挿入部２１１ａから右カップ部２１０の内部である右パッド部２１１に挿入することができる。
【０１０２】
同様に左パッド６２０は、左カップ部２２０の左パッド挿入部２２１ａから左カップ部２２０の内部である左パッド部２２１に挿入することができる。
【０１０３】
このような構成により、ブラジャー１００は、着用者のバストを包み込むような着用感を与えることができる。
【０１０４】
つまり、ブラジャー１００の着用者は、右紐部材４１０と左紐部材４２０とを結ぶことにより、右カップ部２１０と左カップ部２２０との間の距離（ｘ軸方向の距離）を調節することができると共に、紐部材４００によりカップ部２００の周辺部を着用者に密着させることができる。
【０１０５】
そして、ブラジャー１００の着用者は、肩紐部材５００の長さを調節することにより、右カップ部２１０と左カップ部２２０の上下方向（ｙ軸方向）の位置を決定することができると共に、肩紐部材５００は、紐部材４００を上方（ｙ軸正方向側）に引っ張るため、紐部材４００によりカップ部２００の周辺部を着用者に密着させることができる。
【０１０６】
したがって、ブラジャー１００は、締め付け難く、かつ、軽くて着け心地が良いという効果を有する。
【０１０７】
本発明は、その趣旨を逸脱しない範囲で種々の改良、修正、又は変形を加えた態様でも実施できる。
【０１０８】
例えば、本実施形態ではブラジャーについて説明したが、水着やキャミソール等であってもよい。
【符号の説明】
【０１０９】
１００…ブラジャー
２００…カップ部
２１０…右カップ部
２１２…右紐通し部
２２０…左カップ部
２２２…左紐通し部
３００…取付部
３１０…取付部本体
３１３…背中側部
３２０…フック部材（取付部材）
４００…紐部材
４１０…右紐部材
４２０…左紐部材
５００…肩紐部材
５１０…右肩紐部材
５１４…第１調節部（調節部）
５２０…左肩紐部材
５２４…第２調節部（調節部）
６００…パッド
【図１】
2018127760.tif 000003
【図２】
2018127760.tif 000004
【図３】
2018127760.tif 000005
【図４】
2018127760.tif 000006